(57)【要約】  【課題】再生機側での操作のみで、携帯型再生機で再生するコンテンツを指定でき、選択用表示をディスプレイの画面に表示でき、多種の携帯型再生機に対応が容易である。  【解決手段】ＡＶ機器１にケーブル１３を介してアダプタ２１が接続され、アダプタ２１に携帯型再生機３１が接続される。携帯型再生機３１に記憶されているコンテンツ管理データがアダプタ２１により読み出される。そして、アダプタ２１のＯＳＤコントローラによりコンテンツ管理データに含まれる属性またはプレイリストを表示するビデオ信号が生成され、ビデオ信号がディスプレイ２に表示され、ユーザがディスプレイ２の表示を見て、再生したい曲を指定する。この選択操作信号がアダプタ２１に伝送され、アダプタ２１がディジタルオーディオプレーヤー３１を制御して指定された曲の再生信号を取り出す。この再生信号がＡＶ機器１によってスピーカ３Ｌ，３Ｒによって再生される。【選択図】図１
2008159180.tif 000002
【特許請求の範囲】
【請求項１】
内蔵または外部のディスプレイによる表示機能を有するコンテンツ再生機と、第１の接続手段を介して上記コンテンツ再生機と接続される携帯型再生機制御装置と、第２の接続手段を介して上記携帯型再生機制御装置と接続される携帯型再生機とから構成され、
上記コンテンツ再生機は、コンテンツを再生するコンテンツ再生部と、操作指令を発生する操作部と、上記操作指令が入力され、上記コンテンツ再生部を制御する第１の制御部とを備え、
上記携帯型再生機制御装置は、表示制御部と、上記第１の接続手段を介して上記第１の制御部と制御信号の授受の通信を行う第２の制御部とを備え、
上記携帯型再生機は、コンテンツデータのファイルおよび該ファイルを管理するためのコンテンツ管理データを記憶する記憶媒体と、上記ファイルを再生する再生部と、操作部とを備え、
上記携帯型再生機制御装置の上記第２の制御部は、上記第２の接続手段を介して上記携帯型再生機の上記記憶媒体から上記コンテンツ管理データを読み出し、読み出した上記コンテンツ管理データを上記表示制御部に供給し、上記表示制御部により上記コンテンツ管理データに基づくコンテンツ選択用表示信号を生成し、上記コンテンツ選択用表示信号を上記第１の接続手段を介して上記コンテンツ再生機の上記コンテンツ再生部に供給し、
上記コンテンツ再生機の上記第１の制御部は、上記コンテンツ選択用表示信号を上記ディスプレイに供給し、上記ディスプレイ上に上記コンテンツ選択用表示信号によるコンテンツ選択用表示を表示させ、
上記操作部において、上記コンテンツ選択用表示に基づいて、上記操作部の選択操作によって再生するコンテンツを選択し、上記操作部の選択操作信号が上記第１の制御部に供給され、
上記第１の制御部が上記選択操作信号を上記第１の接続手段を介して上記第２の制御部に供給し、
上記第２の制御部が受け取った上記選択操作信号に対応するコンテンツを上記携帯型再生機により再生させ、再生信号を上記第１の接続手段を介して上記コンテンツ再生機の上記コンテンツ再生部に供給する
ようにしたコンテンツ選択再生システム。
【請求項２】
上記第１の接続手段は、上記第１および第２の制御部間で授受される制御信号の伝送路と、上記コンテンツ選択用表示信号の伝送路と、上記携帯型再生機により再生されたコンテンツの伝送路と、上記コンテンツ再生機から上記携帯型再生機制御装置に対する電源伝送路とを含む有線伝送路とされ、
上記有線伝送路を接続離脱させるためのポートが上記コンテンツ再生機が備える請求項１記載のコンテンツ選択再生システム。
【請求項３】
上記コンテンツ管理データは、上記携帯型再生機の上記記憶媒体に記憶されている複数のコンテンツのそれぞれと、記録位置と、属性データと、ファイル名とを対応付けるデータである請求項１記載のコンテンツ選択再生システム。
【請求項４】
上記コンテンツ管理データは、上記携帯型再生機の上記記憶媒体に記憶されているプレイリストデータである請求項１記載のコンテンツ選択再生システム。
【請求項５】
上記第２の制御部は、受け取った上記選択操作信号を上記携帯型再生機の動作を制御するための制御信号に変換する請求項１記載のコンテンツ選択再生システム。
【請求項６】
内蔵または外部のディスプレイによる表示機能を有するコンテンツ再生機と、第１の接続手段を介して上記コンテンツ再生機と接続される携帯型再生機制御装置と、第２の接続手段を介して上記携帯型再生機制御装置と接続される携帯型再生機とから構成され、
上記コンテンツ再生機は、コンテンツを再生するコンテンツ再生部と、操作指令を発生する操作部と、上記操作指令が入力され、上記コンテンツ再生部を制御する第１の制御部とを備え、
上記携帯型再生機制御装置は、表示制御部と、上記第１の接続手段を介して上記第１の制御部と制御信号の授受の通信を行う第２の制御部とを備え、
上記携帯型再生機は、コンテンツデータのファイルおよび該ファイルを管理するためのコンテンツ管理データを記憶する記憶媒体と、上記ファイルを再生する再生部と、操作部とを備えるシステムにおけるコンテンツ選択再生方法であって、
上記携帯型再生機制御装置の上記第２の制御部は、上記第２の接続手段を介して上記携帯型再生機の上記記憶媒体から上記コンテンツ管理データを読み出し、読み出した上記コンテンツ管理データを上記表示制御部に供給し、上記表示制御部により上記コンテンツ管理データに基づくコンテンツ選択用表示信号を生成し、上記コンテンツ選択用表示信号を上記第１の接続手段を介して上記コンテンツ再生機の上記コンテンツ再生部に供給し、
上記携帯型再生機制御装置の上記第２の制御部により、上記第２の接続手段を介して上記携帯型再生機の上記記憶媒体から上記コンテンツ管理データを読み出し、読み出した上記コンテンツ管理データを上記表示制御部に供給し、上記表示制御部によりコンテンツ選択用表示信号を生成し、上記コンテンツ管理データに基づくコンテンツ選択用表示信号を上記第１の接続手段を介して上記コンテンツ再生機の上記コンテンツ再生部に供給するステップと、
上記コンテンツ再生機の上記第１の制御部は、上記コンテンツ選択用表示信号を上記ディスプレイに供給し、上記ディスプレイ上に上記コンテンツ選択用表示信号によるコンテンツ選択用表示を表示させるステップと、
上記操作部において、上記コンテンツ選択用表示に基づいて、上記操作部の選択操作によって再生するコンテンツを選択し、上記第１の制御部に上記操作部の選択操作信号を供給するステップと、
上記第１の制御部が上記選択操作信号を上記第１の接続手段を介して上記第２の制御部に供給するステップと、
上記第２の制御部が受け取った上記選択操作信号に対応するコンテンツを上記携帯型再生機により再生させ、再生信号を上記第１の接続手段を介して上記コンテンツ再生機の上記コンテンツ再生部に供給するステップと
を有するコンテンツ選択再生方法。
【請求項７】
上記コンテンツ管理データは、上記携帯型再生機の上記記憶媒体に記憶されている複数のコンテンツのそれぞれと、記録位置と、属性データと、ファイル名とを対応付けるデータであり、
上記コンテンツ選択用表示が上記属性データによる属性と関連付けて上記コンテンツを表示する請求項６記載のコンテンツ選択再生方法。
【請求項８】
上記コンテンツ管理データは、上記携帯型再生機の上記記憶媒体に記憶されているプレイリストデータであり、
上記コンテンツ選択用表示が上記プレイリストデータによるプレイリストを表示する請求項６記載のコンテンツ選択再生方法。
【請求項９】
上記第２の制御部は、受け取った上記選択操作信号を上記携帯型再生機の動作を制御するための制御信号に変換する請求項６記載のコンテンツ選択再生方法。
【請求項１０】
内蔵または外部のディスプレイによる表示機能を有するコンテンツ再生機と接続するための第１の接続手段と、
携帯型再生機を接続するための第２の接続手段と、
表示制御部と、
上記第１の接続手段を介して上記コンテンツ再生機の第１の制御部と制御信号の授受の通信を行う第２の制御部とを備え、
上記第２の制御部は、上記第２の接続手段を介して上記携帯型再生機の上記記憶媒体から上記コンテンツ管理データを読み出し、読み出した上記コンテンツ管理データを上記表示制御部に供給し、上記表示制御部により上記コンテンツ管理データに基づくコンテンツ選択用表示信号を生成し、上記コンテンツ選択用表示信号を上記第１の接続手段を介して上記コンテンツ再生機に出力し、
上記コンテンツ再生機の上記第１の制御部から上記第１の接続手段を介して上記第２の制御部が選択操作信号を受け取り、
受け取った上記選択操作信号に対応するコンテンツを上記携帯型再生機により再生させ、再生信号を上記第１の接続手段を介して上記コンテンツ再生機に出力する
ようにした携帯型再生機制御装置。
【請求項１１】
上記第１の接続手段は、上記第１および第２の制御部間で授受される制御信号の伝送路と、上記コンテンツ選択用表示信号の伝送路と、上記携帯型再生機により再生されたコンテンツの伝送路と、上記コンテンツ再生機から上記携帯型再生機制御装置に対する電源伝送路とを含む有線伝送路とされ、
上記有線伝送路の一端に、上記コンテンツ再生機のポートに対して接続自在の接続手段が設けられた請求項９記載の携帯型再生機制御装置。
【請求項１２】
上記第２の接続手段は、複数の機械的な接点を接触させる構成とされ、
上記第２の接続手段を介して上記携帯型再生機に内蔵された電池に対する充電電源を供給する請求項９記載の携帯型再生機制御装置。
【請求項１３】
上記コンテンツ管理データは、上記携帯型再生機の上記記憶媒体に記憶されている複数のコンテンツのそれぞれと、記録位置と、属性データと、ファイル名とを対応付けるデータである請求項９記載の携帯型再生機制御装置。
【請求項１４】
上記コンテンツ管理データは、上記携帯型再生機の上記記憶媒体に記憶されているプレイリストデータである請求項９記載の携帯型再生機制御装置。
【請求項１５】
上記第２の制御部は、受け取った上記選択操作信号を上記携帯型再生機の動作を制御するための制御信号に変換する請求項９記載の携帯型再生機制御装置。
【請求項１６】
特定の種類の上記携帯型再生機が接続されるようにした請求項９記載の携帯型再生機制御装置。
【発明の詳細な説明】
【技術分野】
【０００１】
この発明は、例えば据え置き型のオーディオ再生機によってディジタルオーディオプレーヤーの記録媒体に記録されているオーディオデータを再生することを可能とするコンテンツ選択再生システム、その方法および携帯型再生機制御装置に関する。
【背景技術】
【０００２】
最近では、ディジタルオーディオプレーヤー(Digital Audio Player;DAP)が広く使用されている。ディジタルオーディオプレーヤーは、圧縮された音楽ファイルを記録する記録媒体、複数の音楽ファイルを管理するファイルシステム、音楽ファイルを再生するデコーダ、アンプ、操作部、内蔵電池、液晶パネル等により構成され、携帯が可能な小型なものである。このようなディジタルオーディオプレーヤーを家庭内の既存のオーディオシステムによって再生できれば、ディジタルオーディオプレーヤーに保存されている音楽ファイルをヘッドホンではなくスピーカによって再生することができる。
【０００３】
例えば据え置き型のオーディオ再生機にディジタルオーディオプレーヤーを接続するためのコネクタを有する装着部を設け、そこにディジタルオーディオプレーヤーを装着する構成が可能である。また、オーディオ再生機とディジタルオーディオプレーヤーとを所定のインターフェースで接続することによって、オーディオ再生機に保存されている音楽ファイルを再生することが可能である。
【０００４】
例えば、下記の特許文献１には、ＤＶＤ(Digital Versatile Disc)再生装置とディジタルテレビジョンとをＩＥＥＥ(Institute of Electrical and Electronics Engineers)１
３９４を介して相互接続し、ＤＶＤ再生装置とディジタルテレビジョンとを別々に操作するのではなく、ディジタルテレビジョンのリモートコントロールのコマンダを使用してＤＶＤ再生装置の操作をすることを可能とする装置が記載されている。
【０００５】
【特許文献１】特開２００１−２９８６７６号公報
【０００６】
据え置き型のオーディオ再生機の操作制御と、ディジタルオーディオプレーヤーの操作制御とは、異なる処理が普通である。したがって、各機器を別々のリモートコントロールのコマンダで操作する煩わしさを回避するためには、据え置き型のオーディオ再生機のコマンダのみで操作できることが望ましい。このように、据え置き型のオーディオ再生機側でディジタルオーディオプレーヤーを操作しようとすると、オーディオ再生機において、ディジタルオーディオプレーヤーを制御するためのコマンドを発行し、コマンドがディジタルオーディオプレーヤーに対して伝送される。上述した特許文献１においても、ディジタルテレビジョン側でリモートコントロールのコマンダをＤＶＤコマンドに翻訳し、このＤＶＤコマンドをＤＶＤ再生装置に伝送している。
【発明の開示】
【発明が解決しようとする課題】
【０００７】
このように、据え置き型オーディオ再生機側でディジタルオーディオプレーヤーを操作するコマンドを発行する方法は、ディジタルオーディオプレーヤーの機種が複数存在し、機種ごとに制御のためのコマンドが異なり、制御の処理も異なるので、リモートコントロールのコマンダをディジタルオーディオプレーヤーのコマンドに変換するためハードウェアおよびソフトウェアの負担が重くなる問題がある。しかも、ディジタルオーディオプレーヤーの開発、改良の速度が比較的速いので、このような開発、改良に追従してディジタルオーディオプレーヤーの機器毎に適用可能なコマンドを発行することは困難である。
【０００８】
しかも、ディジタルオーディオプレーヤーの形状、コネクタの形状および寸法等は、機種ごとに相違するのが普通であり、多数のディジタルオーディオプレーヤーに対して汎用的な一つの接続部を設けることは、不可能といえる。
【０００９】
また、ディジタルオーディオプレーヤーには、大量のオーディオデータが蓄積されているので、所望の曲を再生する場合、蓄積されている曲の曲名等を表示し、この表示を見てユーザが曲を選択するのが普通である。しかしながら、ディジタルオーディオプレーヤーの表示部は、携帯型再生機のために画面が小さく、見やすいものではなかった。例えばテレビジョンの画面上にディジタルオーディオプレーヤーに蓄積されている曲のリストを表示することができれば、曲の選択等の操作が簡単となる。
【００１０】
上述した特許文献１には、ＤＶＤ再生装置のＲＯＭに持っているＤＶＤ操作ＯＳＤ(On
Screen Display)をディジタルテレビジョンの画面に表示することが記載されている。し
かしながら、ディジタルオーディオプレーヤーの場合では、小型の液晶パネル上に曲名等を表示するので、ＤＶＤ再生装置のように、テレビジョンのディスプレイのように、大画面の表示のための機能を有していない。したがって、ディジタルオーディオプレーヤーの出力を使用して大画面に曲名等を表示することができなかった。
【００１１】
したがって、この発明の目的は、携帯型再生機の異なる機種毎に対応したアダプタ形式の携帯型再生機制御装置を提供し、コンテンツ選択用表示信号を生成する機能と、携帯型再生機に対するコマンドを発行する機能とを携帯型再生機制御装置が持つことによって、上述した従来の問題点を解決することができるコンテンツ選択再生システム、その方法および携帯型再生機制御装置を提供することにある。
【課題を解決するための手段】
【００１２】
上述した課題を解決するために、この発明は、内蔵または外部のディスプレイによる表示機能を有するコンテンツ再生機と、第１の接続手段を介してコンテンツ再生機と接続される携帯型再生機制御装置と、第２の接続手段を介して携帯型再生機制御装置と接続される携帯型再生機とから構成され、
コンテンツ再生機は、コンテンツを再生するコンテンツ再生部と、操作指令を発生する操作部と、操作指令が入力され、コンテンツ再生部を制御する第１の制御部とを備え、
携帯型再生機制御装置は、表示制御部と、第１の接続手段を介して第１の制御部と制御信号の授受の通信を行う第２の制御部とを備え、
携帯型再生機は、コンテンツデータのファイルおよび該ファイルを管理するためのコンテンツ管理データを記憶する記憶媒体と、ファイルを再生する再生部と、操作部とを備え、
携帯型再生機制御装置の第２の制御部は、第２の接続手段を介して携帯型再生機の記憶媒体からコンテンツ管理データを読み出し、読み出したコンテンツ管理データを表示制御部に供給し、表示制御部によりコンテンツ管理データに基づくコンテンツ選択用表示信号を生成し、コンテンツ選択用表示信号を第１の接続手段を介してコンテンツ再生機のコンテンツ再生部に供給し、
コンテンツ再生機の第１の制御部は、コンテンツ選択用表示信号をディスプレイに供給し、ディスプレイ上にコンテンツ選択用表示信号によるコンテンツ選択用表示を表示させ、
操作部において、コンテンツ選択用表示に基づいて、操作部の選択操作によって再生するコンテンツを選択し、操作部の選択操作信号が第１の制御部に供給され、
第１の制御部が選択操作信号を第１の接続手段を介して第２の制御部に供給し、
第２の制御部が受け取った選択操作信号に対応するコンテンツを携帯型再生機により再生させ、再生信号を第１の接続手段を介してコンテンツ再生機のコンテンツ再生部に供給する
ようにしたコンテンツ選択再生システムである。
【００１３】
この発明は、内蔵または外部のディスプレイによる表示機能を有するコンテンツ再生機と、第１の接続手段を介してコンテンツ再生機と接続される携帯型再生機制御装置と、第２の接続手段を介して携帯型再生機制御装置と接続される携帯型再生機とから構成され、
コンテンツ再生機は、コンテンツを再生するコンテンツ再生部と、操作指令を発生する操作部と、操作指令が入力され、コンテンツ再生部を制御する第１の制御部とを備え、
携帯型再生機制御装置は、表示制御部と、第１の接続手段を介して第１の制御部と制御信号の授受の通信を行う第２の制御部とを備え、
携帯型再生機は、コンテンツデータのファイルおよび該ファイルを管理するためのコンテンツ管理データを記憶する記憶媒体と、ファイルを再生する再生部と、操作部とを備えるシステムにおけるコンテンツ選択再生方法であって、
携帯型再生機制御装置の第２の制御部は、第２の接続手段を介して携帯型再生機の記憶媒体からコンテンツ管理データを読み出し、読み出したコンテンツ管理データを表示制御部に供給し、表示制御部によりコンテンツ管理データに基づくコンテンツ選択用表示信号を生成し、コンテンツ選択用表示信号を第１の接続手段を介してコンテンツ再生機のコンテンツ再生部に供給し、
携帯型再生機制御装置の第２の制御部により、第２の接続手段を介して携帯型再生機の記憶媒体からコンテンツ管理データを読み出し、読み出したコンテンツ管理データを表示制御部に供給し、表示制御部によりコンテンツ選択用表示信号を生成し、コンテンツ管理データに基づくコンテンツ選択用表示信号を第１の接続手段を介してコンテンツ再生機のコンテンツ再生部に供給するステップと、
コンテンツ再生機の第１の制御部は、コンテンツ選択用表示信号をディスプレイに供給し、ディスプレイ上にコンテンツ選択用表示信号によるコンテンツ選択用表示を表示させるステップと、
操作部において、コンテンツ選択用表示に基づいて、操作部の選択操作によって再生するコンテンツを選択し、第１の制御部に操作部の選択操作信号を供給するステップと、
第１の制御部が選択操作信号を第１の接続手段を介して第２の制御部に供給するステップと、
第２の制御部が受け取った選択操作信号に対応するコンテンツを携帯型再生機により再生させ、再生信号を第１の接続手段を介してコンテンツ再生機のコンテンツ再生部に供給するステップと
を有するコンテンツ選択再生方法である。
【００１４】
この発明は、内蔵または外部のディスプレイによる表示機能を有するコンテンツ再生機と接続するための第１の接続手段と、
携帯型再生機を接続するための第２の接続手段と、
表示制御部と、
第１の接続手段を介してコンテンツ再生機の第１の制御部と制御信号の授受の通信を行う第２の制御部とを備え、
第２の制御部は、第２の接続手段を介して携帯型再生機の記憶媒体からコンテンツ管理データを読み出し、読み出したコンテンツ管理データを表示制御部に供給し、表示制御部によりコンテンツ管理データに基づくコンテンツ選択用表示信号を生成し、コンテンツ選択用表示信号を第１の接続手段を介してコンテンツ再生機に出力し、
コンテンツ再生機の第１の制御部から第１の接続手段を介して第２の制御部が選択操作信号を受け取り、
受け取った選択操作信号に対応するコンテンツを携帯型再生機により再生させ、再生信号を第１の接続手段を介してコンテンツ再生機に出力する
ようにした携帯型再生機制御装置である。
【発明の効果】
【００１５】
この発明による携帯型再生機制御装置は、携帯型再生機の異なる機種毎に対応したものとされる。専用の接続手段を持つので、携帯型再生機が接続できない問題が生じない。携帯型再生機に記録されているコンテンツ管理データを読み出し、読み出されたコンテンツ管理データから表示制御部によって、コンテンツ選択用表示信号を生成する。コンテンツ選択用表示信号がコンテンツ再生機に供給され、コンテンツ再生機に内蔵または外部接続されたディスプレイ上にコンテンツ選択用表示が表示される。コンテンツ再生機側のみでのリモートコントロールコマンダ等の操作によって所望のコンテンツ例えば曲を指定することができる。したがって、制御の操作性が良く、また、大画面の表示を見てコンテンツの選択が可能となり、操作性を向上できる。
【００１６】
コンテンツ再生機側の操作で発生した選択操作信号が携帯型再生機制御装置に供給され、接続されている携帯型再生機のコマンドに変換され、指定されたコンテンツを携帯型再生機によって再生できる。再生されたコンテンツがコンテンツ再生機に伝送され、再生される。例えばスピーカによって音楽が再生される。携帯型再生機制御装置がコマンドを発行するので、コンテンツ再生機側で多種の携帯型再生機に対応してコマンドを発行する負担が生じない利点がある。
【発明を実施するための最良の形態】
【００１７】
以下、この発明の一実施の形態について説明する。図１は、一実施の形態におけるコンテンツ選択再生システムの概略的構成を示す。コンテンツ再生機としてのＡＶ機器１に対して、ディスプレイ２および２チャンネルスピーカ３Ｌ、３Ｒが接続されている。ＡＶ機器１は、前面パネルに設けられている押しボタン、リモートコントロールのコマンダ４によって操作することが可能とされている。ここで、コンテンツとは、メディア、ネットワークによって提供されるオーディオ情報、ビデオ情報等の創作物を意味する。
【００１８】
ＡＶ機器１は、例えばＡＶアンプであり、外部から入力されるビデオ信号およびオーディオ信号を切り替えてディスプレイ２およびスピーカ３Ｌ，３Ｒに供給する。ＡＶ機器１の他の例は、ディスク再生機能を有するＡＶアンプである。この場合には、ＣＤ、ＤＶＤ、ＣＤ−Ｒ(Recordable)、ＣＤ−ＲＷ(ReWritable)、次世代光ディスクＢＤ（ブルーレイディスク）等の再生部を有している。
【００１９】
ＡＶ機器１の背面（または前面）にポート１２が設けられ、ケーブル１３の一端に接続されたコネクタがポート１２に対して装着される。ケーブル１３の他端側は、コンテンツ再生機制御装置としてのアダプタ２１と接続されている。ポート１２およびケーブル１３が第１の接続手段を構成する。第１の接続手段の具体例は、メーカー独自の規格によるインターフェース、ＵＳＢ(Universal Serial Bus)，ＩＥＥＥ(Institute of Electrical and Electronics Engineers)１３９４等である。第１の接続手段は、有線に限らず無線イ
ンターフェースであっても良い。無線インターフェースの例は、Ｂｌｕｅｔｏｏｔｈ（登録商標）、無線ＬＡＮ（Local Area Network）、ＵＷＢ（Ultra Wide Band）等である。
【００２０】
アダプタ２１は、携帯型再生機３１例えばディジタルオーディオプレーヤーの置き台としての形状を有している。アダプタ２１には、一端部が挿入可能な凹部と、凹部内に配された携帯型再生機３１の機械的接点と接続される機械的接点とからなる装着部２２を有する。装着部２２が第２の接続手段の一例である。上述した第１の接続手段と同様に、有線または無線のインターフェースを第２の接続手段として適用することができる。
【００２１】
携帯型再生機３１は、ディジタルオーディオデータを記録するためのフラッシュメモリ（メモリカードまたは内蔵フラッシュメモリ）、ハードディスク等のメディア（記憶媒体）、複数のファイルを管理するファイルシステム、ファイルの圧縮符号化を復号化するための復号部、オーディオ用アンプ、表示用制御回路、表示装置、操作ボタン等の操作装置、電源としての電池等で構成されている。携帯型音楽再生機としては、ディジタルオーディオプレーヤー以外に、携帯電話機等も適用できる。さらに、携帯型音楽再生機に限らず、ビデオ再生用の表示用制御回路および表示装置を備えている携帯型音楽／映像再生機を使用することができる。
【００２２】
ビデオデータに対する圧縮符号化としては、ＭＰＥＧ２(Moving Picture Experts Group Phase 2)、ＭＰＥＧ４、Ｈ．２６４／ＡＶＣ（Advanced Video Coding ）、ＤｉｖＸ等を使用できる。オーディオデータに対する圧縮符号化としては、ＭＰ３(MPEG1 Audio Layer 3)、ＡＡＣ(Advanced Audio Coding)、ＡＴＲＡＣ(Adaptive Transfer Acoustic Coding)、ＷＭＡ(Windows（登録商標） Media Audio)等を使用できる。
【００２３】
インターフェースは、有線または無線である。有線インターフェースの例は、ＵＳＢ(Universal Serial Bus)，ＩＥＥＥ(Institute of Electrical and Electronics Engineers)１３９４等であり、無線インターフェースの例は、Ｂｌｕｅｔｏｏｔｈ（登録商標）、
無線ＬＡＮ（Local Area Network）、ＵＷＢ（Ultra Wide Band）等である。インターフ
ェースを介してコンテンツデータの転送（ストリーミング）や、コンテンツ管理データの転送がなされる。
【００２４】
この発明の一実施の形態によるコンテンツ選択再生システムにおいて、アダプタ２１の装着部２２に対して携帯型再生機３１を装着すると、携帯型再生機３１のメディアに記憶されているファイル例えば音楽ファイルを管理するためのファイルシステム（以下、コンテンツ管理データと称する）がアダプタ２１により読み出される。そして、アダプタ２１の表示制御部としてのＯＳＤ(On Screen Display)コントローラによりコンテンツ管理デ
ータに含まれる曲名等の属性、またはプレイリストを表示するビデオ信号が生成される。このビデオ信号がＡＶ機器１に供給され、ディスプレイ２に表示される。
【００２５】
コンテンツ選択用表示を利用したＧＵＩが構成され、ユーザがディスプレイ２の表示を見て、リモートコントロールのコマンダ４を操作して再生したい曲を指定する。この選択操作信号がアダプタ２１に伝送され、アダプタ２１が携帯型再生機３１を制御して指定された曲の再生信号を取り出す。この再生信号がＡＶ機器１によってスピーカ３Ｌ，３Ｒによって再生される。オーディオコンテンツの再生モードとしては、コンテンツ管理データの順序にしたがって曲を再生する順次再生、ランダムな順序で再生するシャッフル再生が可能とされている。さらに、ジャンル別再生、アーチスト別再生、アルバム別再生が可能とされている。すなわち、再生モードをユーザが指定すると、再生モードに応じて自動的に選択された曲が再生される。なお、ディスプレイ２のコンテンツ選択用表示を使用せずに、リモートコントロールのコマンダ４の操作によって、再生等の動作を制御することができるようにされている。
【００２６】
さらに、この発明の一実施の形態について図２を参照してより詳細に説明する。ＡＶ機器１は、コントローラ５を有する。コントローラ５は、ＣＰＵ(Central Processing Unit)、ＲＯＭ(Read Only Memory)およびＲＡＭ（Random Access Memory）などからなるマイ
クロコンピュータの構成とされる。ＲＯＭは、ＣＰＵ上で動作されるプログラムや動作のために必要なデータが予め記憶される。ＲＡＭは、ＣＰＵのワークメモリとして用いられる。ＣＰＵは、ＲＯＭに記憶されたプログラムやデータを必要に応じて読み出し、ＲＡＭをワークメモリとして用いながら、ＡＶ機器１の各部を制御する。
【００２７】
コントローラ５に対してリモートコントローラ受光部６からのリモートコントロール信号が供給される。リモートコントロール信号は、操作部としてのコマンダ４が操作されることによって発生する。コントローラ５は、ビデオセレクタ７およびオーディオセレクタ９を制御する。ビデオセレクタ７で選択されたビデオ信号がディスプレイ２に供給され、ディスプレイのスクリーンに表示される。オーディオセレクタ９で選択されたオーディオ信号が増幅回路１１を介してスピーカ３Ｌ，３Ｒに供給されて再生される。図示しないが、ＡＶ機器１には、音量調整用の電子ボリューム等も設けられている。
【００２８】
アダプタ２１は、第２の制御部としてのコントローラ２４および表示制御部としてのＯＳＤコントローラ２５を有する。コントローラ２４は、コントローラ５と同様にＣＰＵ等からなるマイクロコンピュータの構成とされる。ＯＳＤコントローラ２５は、テキスト等からなるコンテンツ選択用表示信号をコンテンツ管理データに基づいて生成する。さらに、図示しないが、アダプタ２１は、携帯型再生機３１の電池を充電するための充電制御部を有している。
【００２９】
ＡＶ機器１のポート１２に接続されるコネクタから延びるケーブル１３は、ラインＬ１，Ｌ２，Ｌ３，Ｌ４およびＬ５を束ねたものである。ラインＬ１を通じてＯＳＤコントローラ２５が生成したＯＳＤ用ビデオ信号Ｖ２がＡＶ機器１のビデオセレクタ７に供給される。ビデオセレクタ７には、入力ビデオ端子８からのビデオ信号Ｖ１が供給される。ビデオセレクタ７によって選択されたビデオ信号Ｖ１およびＯＳＤ用ビデオ信号Ｖ２の一方がディスプレイ２に供給される。
【００３０】
ラインＬ２を通じて携帯型再生機３１が再生したアナログオーディオ信号Ｖ２がオーディオセレクタ９に供給される。オーディオセレクタ９には、入力オーディオ端子１０からのオーディオ信号Ａ１が供給される。オーディオセレクタ９によって選択されたオーディオ信号Ａ１および再生オーディオ信号Ａ２の一方が増幅回路１１を介してスピーカ３Ｌ，３Ｒに供給される。
【００３１】
ラインＬ３は、コントローラ５およびコントローラ２４の間で制御信号の授受（通信）を行うために使用される。一例として、パーソナルコンピュータのシリアルポートで使用される通信回路の一種である、ＵＡＲＴ(Universal Asynchronous Receiver Transmitter)をコントローラ５および２４がそれぞれ有している。ラインＬ４およびＬ５は、電源電
圧および接地電位の伝送ラインである。アダプタ２１は、ＡＶ機器１から電源の供給を受けるようになされている。
【００３２】
携帯型再生機３１は、アダプタ２１の装着部２２に対して装着される。装着部２２は、一例として機械的接点の接触によって伝送用のラインＬ１１，Ｌ１２，Ｌ１３，Ｌ１４を形成する。装着部２２は、第２の接続手段を構成し、上述したように、第１の接続手段と同様に、機械的接点の接触の構成以外に、有線または無線のインターフェースを採用することができる。
【００３３】
ラインＬ１１は、コントローラ２４と携帯型再生機３１との間で制御信号を伝送するために使用される。ラインＬ１２は、携帯型再生機３１から読み出したコンテンツ管理データをコントローラ２４に伝送するために使用される。ラインＬ１１およびＬ１２は、１本の伝送ラインとしても良い。ラインＬ１３は、携帯型再生機３１からの再生オーディオ信号（アナログ）Ａ２を出力するために使用される。再生オーディオ信号Ａ２がケーブル１３のラインＬ２を介してＡＶ機器１のオーディオセレクタ９に供給される。
【００３４】
ラインＬ１４は、携帯型再生機３１からの再生ビデオ信号（アナログ）Ｖ３を出力するために使用される。再生ビデオ信号Ｖ３がＯＳＤコントローラ２５に供給され、再生ビデオ信号Ｖ３にコンテンツ選択用表示が重畳される。携帯型再生機３１がオーディオ信号のみを再生する場合には、ビデオ信号Ｖ３が出力されず、その場合には、コンテンツ選択用表示が単一の色の背景上に表示される。
【００３５】
携帯型再生機３１が備えるメディアには、オーディオ（および／またはビデオ、以下同様）コンテンツデータと、オーディオコンテンツデータを管理するためのコンテンツ管理データとが記憶されている。例えば音楽ファイルを管理するコンテンツ管理データとしては、独自のコンテンツ管理データ、ＦＡＴ(File Allocation Table)１６、ＦＡＴ３２等
のパーソナルコンピュータで使用されるファイルシステムがある。音楽ファイルの転送方法としては、独自のコンテンツ管理データを採用しているために、専用の転送ソフトウェアでのみ転送可能なものと、汎用コンテンツ管理データを採用しているために、エクスプローラのような汎用的なファイル管理ツールからファイルが転送できるものとがある。さらに、コンテンツ管理データには、携帯型再生機３１において作成されたプレイリストファイルが含まれる。この一実施の形態における携帯型再生機３１は、独自のコンテンツ管理データを採用している。
【００３６】
アダプタ２１は、携帯型再生機３１に専用のものであるので、コントローラ２４が携帯型再生機３１に対してコマンドを送って携帯型再生機３１からコンテンツ管理データをラインＬ１２を介して読み出すことができる。取得されたコンテンツ管理データがコントローラ２４内のＲＡＭに記憶される。また、コントローラ２４は、取得したコンテンツ管理データに基づいてコンテンツに関連する映画のタイトル、曲名等の曲情報、アーチスト名等のアーチスト情報、ジャンル、プレイリスト等の属性データを解釈する手段（機能）を有している。
【００３７】
図３Ａおよび図３Ｂは、携帯型再生機３１のコンテンツ管理データの一例を示す。図３Ａは、音楽系コンテンツ管理データの一例を示し、図３Ｂは、映像系コンテンツ管理データの一例を示す。音楽系コンテンツ管理データでは、Ｎ個の曲（ファイル）毎に、属性情報として、「ジャンル」「アーチスト名」「アルバム名」「曲名」「ファイル名」が対応付けられている。映像系の管理データでは、Ｎ個の記録番組（ファイル）毎に、属性情報として、「ジャンル」「監督名」「タイトル」「ファイル名」が対応付けられている。ファイル名の拡張子がその曲（ファイル）の圧縮符号化方法を表している。例えば拡張子「ｍｐｇ」がＭＰＥＧ４で圧縮符号化されたファイルであることを表している。なお、図３では省略されているが、携帯型再生機３１においては、各コンテンツのメディア上の記録位置も対応付けられている。
【００３８】
例えばコンテンツＩＤが「１」の曲は、属性情報が「ロック」「ＭＪ」「ＡＡ」「ＡＢＣ」「ＡＢＣ．ｍｐ３」とされている。これらのアルファベットは、ファイル名の拡張子を除いて模式的なもので特定の意味を持つものではない。ファイル名の拡張子がその曲（ファイル）の圧縮符号化方法を表している。上述した例では、ＭＰ３により圧縮符号化されたことが拡張子によって表されている。他の拡張子「ａｔ３」は、ＡＴＲＡＣ３を表し、「ｍｐ４」は、ＭＰＥＧ４を表す。なお、プレイリストの場合には、複数のコンテンツをまとめたプレイリストファイルが構成される。
【００３９】
携帯型再生機３１がアダプタ２１に対して接続され、接続された携帯型再生機３１がアダプタ２１のコントローラ２４によって認識されると、コンテンツ管理データがコントローラ２４内のＲＡＭに読み込まれる。コントローラ２４が携帯型再生機３１から読み込んだコンテンツ管理データのコンテンツＩＤおよび属性情報をそれぞれ解釈し、コンテンツ選択用表示信号の生成に必要なテキスト情報をＯＳＤコントローラ２５に対して与える。ＯＳＤコントローラ２５がコンテンツ選択用表示信号Ｖ２を作成する。
【００４０】
図４は、コンテンツ選択用表示信号Ｖ２がビデオセレクタ７を介してディスプレイ２に供給されることによって表示されるコンテンツ選択用表示４１の一例を示す。表示項目について説明すると、設定アイテム表示としてシャッフル再生が設定されているか否かを示すシャッフルアイコン４２およびリピート再生が設定されているか否かを示すリピートアイコン４３が表示される。メニュータイトル４４として例えば「ＰｌａｙＬｉｓｔｓ」が表示される。
【００４１】
複数のプレイリストのテキストが表示され、その内の一つに対してスクロールバー４６が位置する。リモートコントロールのコマンダの方向キーの上下キーによってスクロールバー４６がスクロールされる。現在再生中のプレイリストの横の位置にカレント再生アイコン４７が表示される。
【００４２】
走行状態アイコン４８が表示され、再生中の曲に関してのトラック名の表示４９、アーチスト名の表示５０およびアルバム名の表示５１が表示される。さらに、曲の再生番号／総数の表示５２および経過時間の表示５３が表示される。図４に示すコンテンツ選択用表示４１は、一例であってメニューに応じた他の表示が可能とされている。
【００４３】
上述したこの発明の一実施の形態の動作について図５を参照して説明する。コマンダ４のボタンや、本体の操作ボタンを押すことによって、ＡＶ機器１の電源をオンとし、アダプタ２１からのビデオ信号およびオーディオ信号を選択するように、コントローラ５がビデオセレクタ７およびオーディオセレクタ９の状態を設定する。また、アダプタ２１の出力を選択して出力する状態とされたことがアダプタ２１のコントローラ２４に対して通知される。
【００４４】
アダプタ２１において、ユーザが携帯型再生機３１をアダプタ２１に装着する（ステップＵ１）。アダプタ２１のコントローラ２４が携帯型再生機３１に対してコンテンツ管理データを要求する（ステップＳ２）。要求に応答して携帯型再生機３１がアダプタ２１のコントローラ２４に対してコンテンツ管理データを出力する（ステップＳ３）。コンテンツ管理データを受け取ったコントローラ２４がコンテンツ管理データを解釈してコンテンツ選択用表示に必要なデータをＯＳＤコントローラ２５に供給し、ＯＳＤコントローラ２５がコンテンツ選択用表示信号を生成し、コンテンツ選択用表示信号がＡＶ機器１に供給され、ディスプレイ２によってコンテンツ選択用表示が表示される（ステップＳ４）。
【００４５】
ユーザがコンテンツ選択用表示例えばプレイリストの表示（図４参照）を参照してリモートコントロールのコマンダ４を操作して聴きたい曲を選択する。聴きたい曲を階層をたどって選択する操作は、ユーザのカーソルボタン（方向キー中の上下キー）の操作ステップＵ５、カーソルコマンドＣ６、スクロールバーの移動によるリストの選択項目の変更処理（ステップＳ７）、ユーザのカーソルボタンの操作ステップＵ８、カーソルコマンドＣ９、リストの選択項目の変更処理（ステップＳ１０）、・・・・と表記されている。
【００４６】
そして、聴きたい曲に対してスクロールバーを位置させた状態で、ユーザがエンターボタンを操作する（ステップＵ１１）。アダプタ２１は、エンターコマンドＣ１２を受け取ると、携帯型再生機３１に対してその曲の再生要求を出力する（ステップＳ１３）。携帯型再生機３１は、アダプタ２１から曲再生要求が出力されると、その要求に基づいて再生を開始する（ステップＳ１４）。
【００４７】
カーソルボタンの操作指令の情報は、コントローラ５で受け付けられてアダプタ２１のコントローラ２４に伝送される。コントローラ２４は、操作指令に応答してＯＳＤコントローラ２５に対して更新データを出力し、スクロールバーを移動させる。エンターボタンの操作指令の情報を受け取ったアダプタ２１のコントローラ２４は、携帯型再生機３１に対して指定された曲の再生要求を出力する。携帯型再生機３１がその曲を再生し、再生オーディオ信号Ａ２がＡＶ機器１のオーディオセレクタ９および増幅回路１１を介してスピーカ３Ｌ，３Ｒによって再生される。
【００４８】
以上、この発明の一実施の形態について説明したが、この発明は、一実施の形態に限定されるものではなく、この発明の要旨を逸脱しない範囲内で様々な変形や応用が可能である。例えば表示制御部としてのＯＳＤコントローラをＡＶ機器も備える構成とし、アダプタのＯＳＤコントローラの代わりにＡＶ機器のＯＳＤコントローラを使用するように切り替える構成も可能である。その場合には、ＡＶ機器の表示は、アダプタの表示内容に依存しないで、ＡＶ機器のＯＳＤコントローラによる表示内容に合わせた表現とすることができる。
【図面の簡単な説明】
【００４９】
【図１】この発明の一実施の形態によるコンテンツ選択再生システムの概略的構成を示すブロック図である。
【図２】この発明の一実施の形態によるコンテンツ選択再生システムのブロック図である。
【図３】この発明の一実施の形態によるコンテンツ選択再生システムにおけるコンテンツ管理データの一例を示す略線図である。
【図４】この発明の一実施の形態によるコンテンツ選択再生システムにおけるコンテンツ選択用表示の一例を示す略線図である。
【図５】この発明の一実施の形態によるコンテンツ選択再生システムの動作の流れを説明するためのフローチャートである。
【符号の説明】
【００５０】
１  ＡＶ機器
２  ディスプレイ
３Ｌ，３Ｒ  スピーカ
４  リモートコントロールのコマンダ
５  コントローラ
７  ビデオセレクタ
９  オーディオセレクタ
１２  ポート
１３  ケーブル
２１  アダプタ
２４  コントローラ
２５  ＯＳＤコントローラ
３１  携帯型再生機
【図１】
2008159180.tif 000003
【図２】
2008159180.tif 000004
【図３】
2008159180.tif 000005
【図４】
2008159180.tif 000006
【図５】
2008159180.tif 000007